(57)【要約】【課題】  インターネット上で公開されるホームページまたは映像コンテンツ等を携帯などの端末で表示または再生しているときに、その内容を簡単に大画面のテレビ受信機に表示することができるネットワーク端末システムを提供する。【解決手段】  表示装置と携帯端末とから構成されるネットワーク端末システムであって、携帯端末は、ネットワークから、第一のコンテンツを送信するサーバを示す情報と、第一のコンテンツを識別する情報と、を含む識別子を取得する第一の接続手段と、第一の接続手段が取得した識別子を表示端末に送信する送信手段と、を備え、表示装置は、識別子を受信する受信手段と、受信手段が受信した識別子が示すサーバから第一のコンテンツを取得する第二の接続手段と、第二の接続手段が取得したコンテンツを表示する第二の表示手段と、を備えることを特徴とするネットワーク端末システムを提供する。【選択図】  図１（ａ）
2013077116.tif 000002
【特許請求の範囲】
【請求項１】
表示装置と、携帯端末と、から構成されるネットワーク端末システムであって、
前記携帯端末は、
ネットワークから、第一のコンテンツを送信するサーバを示す情報と、前記第一のコンテンツを識別する情報と、を含む識別子を取得する第一の接続手段と、
前記第一の接続手段が取得した前記識別子を前記表示端末に送信する送信手段と、を備え、
前記表示装置は、
前記識別子を受信する受信手段と、
前記受信手段が受信した前記識別子が示すサーバから前記第一のコンテンツを取得する第二の接続手段と、
前記第二の接続手段が取得したコンテンツを表示する第二の表示手段と、
を備えることを特徴とするネットワーク端末システム。
【請求項２】
請求項１に記載のネットワーク端末システムであって、
前記携帯端末は、前記第一の接続手段が取得した前記第一のコンテンツを表示する第一の表示手段を有し、
前記送信手段は、前記第一の表示手段が表示するコンテンツの前記識別子を前記表示装置に送信すること、
を特徴とするネットワーク端末システム。
【請求項３】
請求項２に記載のネットワーク端末システムであって、
前記無線端末は、前記第一のコンテンツの一部分であって、前記第一の表示手段に表示されている部分の位置情報を取得する位置取得手段を有し、
前記送信手段は、前記識別子を送信する場合に、前記位置情報を前記表示装置に送信すること、
を特徴とするネットワーク端末システム。
【請求項４】
請求項３に記載のネットワーク端末システムであって、
前記第二の表示手段は、前記識別子が示すリソースから取得されたコンテンツを表示する場合に、前記位置情報が示す表示領域を、前記第二の表示装置の表示領域に含めて表示すること
を特徴とするネットワーク端末システム。
【請求項５】
請求項１に記載のネットワーク端末システムであって、
前記携帯端末は、
前記第一の通信手段が取得した前記第一のコンテンツを表示する第一の表示手段と、
前記第一のコンテンツに含まれる第二のコンテンツの識別子の選択を受け付ける入力手段と、を備え、
前記送信手段は、前記入力手段が選択を受け付けた前記第二のコンテンツの識別子を前記表示装置に送信すること、
を特徴とするネットワーク端末システム。
【請求項６】
請求項５に記載のネットワーク端末システムであって、
前記第一の表示手段は、前記第一のコンテンツに含まれる前記第二のコンテンツの識別子をアンカーテキストもしくはアンカーオブジェクトとして表示することを特徴とするネットワーク端末システム。
【請求項７】
請求項１に記載のネットワーク端末システムであって、
前記第一の接続手段は、ネットワークからコンテンツを取得し、
前記携帯端末は、
前記第一の接続手段が取得したコンテンツを表示する第一の表示手段と、
前記第一の表示手段で表示したコンテンツの識別子を表示履歴として記憶する表示履歴記憶手段と、を備え、
前記送信手段は、前記表示履歴に記憶された前記識別子を前記表示装置に送信すること、
を特徴とするネットワーク端末システム。
【請求項８】
請求項１に記載のネットワーク端末システムであって、
前記無線端末は、
前記第二の表示手段に表示された前記第一のコンテンツの操作を受け付ける入力手段を備え、
前記送信手段は、前記入力手段が操作を受け付けた場合に前記操作に基づいて作成された操作情報を前記表示装置に送信し、
前記表示装置は前記受信手段が受信した操作情報に基づいて前記第一のコンテンツを操作する制御手段を備える、
ことを特徴とするネットワーク端末システム。
【請求項９】
請求項８に記載のネットワーク端末システムであって、
前記無線端末は、第一の表示手段と、選択手段と、を備え、
前記第一の接続手段は、ネットワークからコンテンツを取得し、
前記第一の表示手段は、前記第一の接続手段が取得したコンテンツを表示し、
前記選択手段は、前記第一の表示手段または前記第二の表示手段に表示されたコンテンツのいずれかを操作するための選択手段を備えること、を特徴とする請求項８記載のネットワーク端末システム。
【請求項１０】
請求項１から９の何れかに記載のネットワーク端末システムであって、
前記識別子とはＵＲＬであることを特徴とするネットワーク端末システム。
【請求項１１】
ネットワーク端末システムに用いられる携帯端末であって、
ネットワークから、第一のコンテンツを送信するサーバを示す情報と、前記第一のコンテンツを識別する情報と、を含む識別子を取得する第一の接続手段と、
前記第一の接続手段が取得した前記識別子を、受信した前記識別子が示すサーバから前記第一のコンテンツを取得して第二の表示手段に表示する表示端末に、送信する送信手段と、
を備えることを特徴とする携帯端末。
【発明の詳細な説明】
【技術分野】
【０００１】
本発明は、ネットワーク端末システム、及び端末装置に関する。
【背景技術】
【０００２】
本技術分野の背景技術として、特開２００９−２５８９６３号公報（特許文献１）がある。この公報には、「ネットワーク接続したデジタルテレビ等の情報家電製品からのページ要求に応答して、ＨＴＭＬ形式のＷｅｂページをレイアウト解析し、広告を含む画面
表示データを生成して送信するサーバー装置を構成する。画面表示データはテレビ等の画面の縦横比と関連付けられた２列の形式等に成形され、ユーザはリモコン等によりリンク情報を利用しうる。これにより、視認性、操作性に優れた画面表示手段を提供しうる。サーバー装置側でＷｅｂページ解析、レイアウト処理等を実施することにより、情報家電製品に特別な処理能力やハードウェア等を追加することなく、文書情報及び画像情報を含む画面を提供しうる。表示する画面に適宜広告を挿入し、広告配信の機会を創出しうる。」と記載がある。
【先行技術文献】
【特許文献】
【０００３】
【特許文献１】特開２００９−２５８９６３号公報
【発明の概要】
【発明が解決しようとする課題】
【０００４】
特許文献１には、Ｗｅｂページを解析し画面表示のためのレイアウト処理を行なうサーバー装置により、レイアウト処理したＷｅｂページを情報家電に送信し表示する方法が開示されている。しかしながら、特許文献１に記載の発明の場合、レイアウト処理するサーバーが必要であり、また同じコンテンツをレイアウト処理を行なったＷｅｂページとレイアウト処理を行なっていないＷｅｂページを異なる表示装置で同時に閲覧しようとした場合に、コンテンツの表示形式が異なる場合に閲覧および操作に戸惑う恐れがあった。
【課題を解決するための手段】
【０００５】
上記課題を解決するために、例えば特許請求の範囲に記載の構成を採用する。
【発明の効果】
【０００６】
インターネット上で公開されるホームページまたは映像コンテンツ等を携帯などの端末で表示または再生しているときに、その内容を簡単に大画面のテレビ受信機に表示することができる。
【０００７】
上記した以外の課題、構成及び効果は、以下の実施形態の説明により明らかにされる。
【図面の簡単な説明】
【０００８】
【図１（ａ）】システム構成の一例を示すブロック図である。
【図１（ｂ）】テレビ受信機の構成の一例を示すブロック図である。
【図１（ｃ）】無線端末の構成の一例を示すブロック図である。
【図２（ａ）】テレビ受信機のストレージ及びメモリの内部構成の例である。
【図２（ｂ）】無線端末のストレージ及びメモリの内部構成の例である。
【図３】無線端末１２の制御部１４から、テレビ受信機１の制御部５に渡す位置情報のデータ形式の一例を示す図である。
【図４】無線端末１２の表示領域１０４とＷｅｂコンテンツ１０３との位置関係を示す図である。
【図５】第一の実施形態に係る動作シーケンスの一例を示す図である。
【図６】無線端末１２のＷｅｂコンテンツ表示画面を示す図である。
【図７】テレビ受信機１に表示されるＷｅｂコンテンツ表示画面を示す図である。
【図８】第二の実施形態に係る動作シーケンスの一例を示す図である。
【図９】無線端末１２に表示されるＷｅｂコンテンツ画面表示の一例を示す図である。
【図１０】無線端末１２に表示されるＷｅｂコンテンツ画面をテレビ受信機１に表示したときの一例を示す図である。
【図１１】変形例としてのテレビ受信機１のＷｅｂコンテンツ画面である。
【図１２】第三の実施形態に係る動作シーケンスの一例を示す図である。
【図１３】無線端末１２に表示されるＷｅｂコンテンツ画面表示の一例を示す図である。
【図１４】第五の実施形態に係る動作シーケンスの一例を示す図である。
【図１５】無線端末１２のＷｅｂコンテンツ表示画面の一実施例を示す図である。
【発明を実施するための形態】
【０００９】
以下、本発明の実施形態について、図面を参照しながら説明する。
【実施例１】
【００１０】
以下においては、番組配列情報（イベント情報）を含むデジタル放送波を受信し、受信した番組配列情報に基づいてデジタル放送の電子番組表（ＥＰＧ）を表示するデジタル放送受信機能付きテレビ受信機および無線装置から構成されるネットワーク端末システムを例にして説明を行なう。
【００１１】
日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。
【００１２】
ＴＳは、社団法人電波産業会（ＡＲＩＢ）の標準規格に従ったデータ構造を有しており、コンテンツデータとしての要素信号（ＥＳ：Elementary Stream）に対して、イベント情報としての番組配列情報をヘッダとして付加した ＴＳパケットで構成されている。
【００１３】
番組配列情報のデータ構造は、ＡＲＩＢ標準規格であるARIB STD-B10「デジタル放送に使用する番組配列情報標準規格」に従ったものである。番組配列情報は、ＭＰＥＧ（Moving Picture Expert Group）−２システム規格で規定された伝送制御情報であるＰＳＩ（Program Specific Information：番組特定情報）と、ＥＰＧなどを構築するためのＳＩ（Service Information：サービス情報）とで構成される。
【００１４】
ＳＩは、ＢＩＴ（Broadcaster Information Table：放送局情報テーブル）、ＳＤＴ（Service Description Table：サービス記述テーブル）、ＥＩＴ（Event Information Table：イベント情報テーブル）およびＴＯＴ（Time Offset Table：時刻オフセットテーブル）の４つのテーブルで構成されている。
【００１５】
ＢＩＴは、ネットワーク内の放送局に関する情報を記載したものである。ＳＤＴは、ＴＳ情報部とサービス情報部に分かれており、ＴＳ情報部は、ネットワークを識別するためのネットワークＩＤと、ＴＳを識別するためのＴＳ ＩＤ（Identifier）とを含んでいる。
【００１６】
ネットワークＩＤは、ＢＳネットワーク、ＣＳ１ネットワークおよびＣＳ２ネットワークには、それぞれ異なるネットワークＩＤが割り当てられている。また、地上デジタル放送の場合は、同じ地域では放送局ごとに異なる値のネットワークＩＤが割り当てられている。
【００１７】
サービス情報部は、ネットワーク内で個々のサービス（チャンネル）を識別するための識別子であるサービスＩＤ（いわゆるチャンネル番号）を含んでいる。
【００１８】
ＥＩＴは、イベント(いわゆる番組)ごとの番組情報を記述したものであり、サービス情報部とイベント情報部に分かれている。サービス情報部は、ネットワーク内で個々のサービス（チャンネル）を識別するための識別子であるサービスＩＤ（いわゆるチャンネル番号）を含んでいる。
【００１９】
イベント情報部は、イベントＩＤ、イベント開始時刻、イベント継続時間、イベントの名称(いわゆる番組タイトル)、イベントのジャンルなどを含んでいる。ＴＯＴは、現在時刻を記述したものである。
【００２０】
なお、以上は日本国で運用されているデジタル放送について説明したが、各国で運用されているデジタル放送においても、上記の番組配列情報と同様の番組情報を伝送している。よって、以下に説明する本発明は、各国のデジタル放送について適用することが可能である。
【００２１】
以下、本発明に係る第一の実施形態を説明する。
【００２２】
［システム構成］
図１（ａ）は、第一の実施形態に係るネットワーク端末システムの一実施例を示すブロック構成図である。
【００２３】
本実施例のネットワーク端末システムは、例えば、テレビ受信機１、無線端末１２、無線ルーター１０、外部ネットワーク１１から構成される。図示の例は、情報通信端末としての携帯電話機等の移動体通信端末である無線端末１２の利用者が、その無線端末１２を持って家庭や店舗等で、テレビ受信機１でテレビ番組を視聴しているときの例である。
【００２４】
無線ルーター１０は、Ｗｉ−Ｆｉなどの無線ＬＡＮ機能を備え、通信回線を経由して外部ネットワーク１１に接続できる。また、無線ルーター１０は、テレビ受信機１、テレビ受信機１９、無線端末１２、外部ネットワーク１１と接続されており、テレビ受信機１、テレビ受信機１９または無線端末１２は、インターネット網から情報を入手することができる。
【００２５】
また、無線ルーター１０は、テレビ受信機１またはテレビ受信機１９とは、有線ＬＡＮまたは無線ＬＡＮで接続されており、無線端末１２とは無線ＬＡＮで接続されているものとする。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
以下、本発明に係る第一の実施形態を、図１から図７を用いて説明する。
【００２６】
［テレビ受信機］
図１（ｂ）は、テレビ受信機１の構成図である。
【００２７】
テレビ受信機１は、アンテナ３８に接続され、チューナ・復調部２、信号分離部３、制御部５、選局制御部６、入力手段４、ストレージ２３、メモリ２０、重畳部７、表示部１８、通信Ｉ／Ｆ９、音声復号部３９、映像復号部４０、スピーカ４１、音声出力部４２、映像出力部４３などを含む。、それぞれの処理部がバス１２０を介して接続される。
【００２８】
また、テレビ受信機１は、アプリケーションプログラムをストレージ２３に格納可能としており、制御部５がストレージ２３から上記プログラムをメモリ２０に展開し、制御部５が上記プログラムを実行することでさまざまな機能を実現することができる。
【００２９】
以後の説明では説明を簡単にするため、制御部５が各アプリケーションプログラムを実行して実現する各種機能を、各種プログラム機能部が主体となって実現することとして説明する。
【００３０】
なお、アプリケーションプログラムは、テレビ受信機１が出荷されるまでに予めストレージ２３に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介してテレビ受信機１にインストールされても良い。
【００３１】
また、通信Ｉ／Ｆ９及び無線ルーター１０を介して外部ネットワーク１１からダウンロードしてインストールすることも可能である。
【００３２】
また、アプリケーションプログラムの各種機能は同様の機能を持つ処理部として、ハードウェアで実現することも可能である。ハードウェアとして実現する場合は、各処理部が主体となって各機能を実現する。
【００３３】
入力手段４は、ユーザーからのテレビ受信機１に対する操作を受け付け、入力操作に関する制御情報を入力する入力手段であり、例えば、リモコン、キーボード、マウス等のポインティングデバイス等により実現される。
【００３４】
制御部５は、ユーザーの操作要求を入力手段４を経由して受け取り、信号分離部３、選局制御部６、ストレージ２３、重畳部７、通信Ｉ／Ｆ９、各種プログラム機能部の各ブロックを制御する。
【００３５】
ストレージ２３は、制御部５の指示により制御され、アプリケーションプログラムを保存することができる。また、アプリケーションプログラムで作成した各種情報を保存する。また、チューナ・復調部２や通信Ｉ／Ｆ９から受信した信号から映像音声ストリーム等のコンテンツを保存してもよい。
【００３６】
メモリ２０は、制御部５の指示により制御される。メモリ２０に、ストレージ２３に格納しているアプリケーションプログラムの機能部が展開される。
【００３７】
チューナ・復調部２は、選局制御部６により、所望のサービスのチャンネルに同調することで、放送局より放送信号を受信し、受信した放送信号を復調してトランスポートストリームを取得する。
【００３８】
選局制御部６は、入力手段４を経由してサービスを選局する指示を受け、指示に応じて選局するチャンネルを切り替えるようにチューナ・復調部２を制御する。また、選局制御部６は、各種プログラム機能部からの指示を受けとることができ、現在放送中のイベント（番組）を放送しているサービス（チャンネル番号）およびそのサービスが属する放送提示単位に切り替えるようにチューナ・復調部２を制御する。
【００３９】
通信Ｉ／Ｆ９は、有線ＬＡＮまたは無線ＬＡＮにより、無線ルータ１３に接続される。通信Ｉ／Ｆ９は無線ルータ１３を介してテレビ受信機１９や無線端末１２と各種情報を送受信する。また、通信Ｉ／Ｆ９は、無線ルータ１３を介して外部ネットワーク１１と接続された装置とも各種情報を送受信可能である。例えば、外部ネットワーク１１と接続されたサーバからＩＰ放送や、ビデオオンデマンド、などの形態でコンテンツストリーム（映像音声ストリーム）を受信することも可能である。
【００４０】
また、外部ネットワーク１１と接続されたサーバから映像ストリームやアプリケーションプログラムをダウンロードすることも可能である。ダウンロードした情報は、例えば、ストレージ２３に格納される。
【００４１】
信号分離部３は、チューナ・復調部２で得たトランスポートストリームや、通信Ｉ／Ｆ９を介して得たコンテンツのストリームについて、映像データ、音声データ、字幕文データ、番組情報等、種類ごとに分離する。また番組情報（例えば、番組配列情報ＳＩ）を取得し、他の処理ブロックに送信する機能を有する。また、他の処理部からデータ送信要求があった場合には、指定されたデータを、要求元へデータを送信する。
【００４２】
音声復号部３９は、信号分離部３で分離した音声データを復号する。音声復号部３９で復号された音声情報は、スピーカ４１から出力される。音声復号部３９で復号された音声情報は、音声出力部４２から外部機器へ出力してもよい。
【００４３】
映像復号部４０は、信号分離部３で分離した映像データを復号する。映像復号部４０で復号された映像情報は、重畳部７に送られる。
【００４４】
重畳部７は、映像復号部４０から送られた復号映像情報に各種プログラム機能部で作成されたＥＰＧ画像、ＯＳＤ画像や、信号分離部３から分離された各種情報（字幕情報、字幕スーパー、データ放送データ等）から生成された画像等を重畳する。また、重畳部７は、後述するブラウザエンジン２１０１で作成されたブラウザ表示画面と映像信号とを合成またはそれぞれの選択切換を行う。重畳部７を経た映像情報は表示部１８で表示される。
【００４５】
表示部１８は、例えばテレビやパソコンのディスプレイあるいは液晶パネル等によって構成され、放送・配信された映像や各種操作をするためのＵＩ、Ｗｅｂブラウザ、ストレージ２３に格納された画像等の表示を行なう。
【００４６】
また、重畳部７を経た映像情報は、映像出力部４３から外部機器へ出力してもよい。表示する画像、映像はアプリケーションプログラムで生成された画像でもよく、チューナ・復調部２を介して受信したコンテンツの画像、映像でもよく、通信Ｉ／Ｆ９を介して外部ネットワーク１１上のサーバから受信した画像、映像でもよく、通信Ｉ／Ｆ９を介して無線端末１２から受信した画像、映像でもよい。
【００４７】
また、信号分離部３で所定の番組についてのトランスポートストリームを分離し、映像や音声を復号せずに出力するデジタルＩ／Ｆ４４を設けてもよい。
【００４８】
テレビ受信機１９の各部の構成は、テレビ受信機１と同様のため、ここでは説明を省略する。また、本実施例ではテレビ受信機を使用する例を説明するが、表示部やスピーカを省略してレコーダを用い、外部接続されたテレビ受信機やディスプレイ、スピーカに同様の映像音声を提示させることで本実施例を実施することも可能である。
【００４９】
［無線端末］
図１（ｃ）は無線端末１２の構成図である。
無線端末１２は、例えば、通信Ｉ／Ｆ１３、制御部１４、表示部１７、入力手段１５、信号分離部２１、チューナ・復調部２２、ストレージ２５、移動体通信Ｉ／Ｆ３１、メモリ３２、加速度センサ部３３、地磁気センサ部３４、ＧＰＳ受信部３５、ジャイロセンサ部３６を有し、それぞれの処理部がバス１２１を介して接続される。
【００５０】
また、無線端末１２は、アプリケーションプログラムをストレージ２５に格納しており、制御部１４がストレージ２５から上記プログラムをメモリ３２に展開し、制御部１４が上記プログラムを実行することで各種機能を実現することができる。以後の説明では説明を簡単にするため、制御部１４が各アプリケーションプログラムを実行して実現する各種機能を、各種プログラム機能部が主体となって実現することとして説明する。
【００５１】
なお、アプリケーションプログラムは、無線端末１２が出荷されるまでに予めストレージ２５に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて図示しない媒体接続部を介して無線端末１２にインストールされても良い。
【００５２】
また、通信Ｉ／Ｆ１３及び無線ルーター１０を介して外部ネットワーク１１からダウンロードしてインストールしてもよい。若しくは移動体通信Ｉ／Ｆ３１を介して基地局１８を介して配信元からダウンロードしてインストールしてもよい。
【００５３】
また、アプリケーションプログラムは、同様の機能を持つ処理部として、ハードウェアで実現することも可能である。ハードウェアとして実現する場合は、各処理部が主体となって各機能を実現する。
【００５４】
通信Ｉ／Ｆ１３は、無線ルーター１０を介してテレビ受信機１の通信Ｉ／Ｆ９と各種情報の送受信を行う。また、通信Ｉ／Ｆ１３は、無線ルーター１０を介して外部ネットワーク１１と接続され、外部ネットワーク１１上のサーバ等と情報の送受信を行う。
【００５５】
また、移動体通信Ｉ／Ｆ３１は、基地局１８を通して通信ネットワークに接続され、通信ネットワーク上のサーバと情報の送受信を行なうことができる。
【００５６】
制御部１４は、ユーザーの操作要求を入力手段１５を経由して受け取り、信号分離部２１、表示部１７、通信Ｉ／Ｆ１３、各種プログラム機能部を制御する。
【００５７】
さらに、制御部１４は、通信Ｉ／Ｆ１３及び無線ルーター１０を経由して外部ネットワーク１１、または、移動体通信Ｉ／Ｆ３１及び基地局１８を経由して外部ネットワーク１１からも番組情報を抽出し番組配列情報を取得でき、各種プログラム機能部に渡す機能も有する。
【００５８】
本実施例では、信号分離部２１でデジタル放送の番組情報を抽出し番組配列情報ＳＩを取得する場合の例について説明するが、通信Ｉ／Ｆ１３や移動体通信Ｉ／Ｆ３１を介して外部ネットワーク１１や配信元から番組配列情報ＳＩを取得することも可能である。この場合は信号分離部２１及びチューナ・復調部２２を無線端末１２の構成から省略することも可能である。
【００５９】
ストレージ２５は、制御部１４の指示により制御され、アプリケーションプログラムを保存することができる。また、アプリケーションプログラムで作成した各種情報を保存する。また、チューナ・復調部２２、通信Ｉ／Ｆ１３、または移動体通信Ｉ／Ｆ３１から受信した信号から映像音声ストリーム等のコンテンツを保存してもよい。
【００６０】
メモリ３２は、制御部１４の指示により制御される。メモリ３２に、ストレージ２５に格納しているアプリケーションプログラムの機能部が展開される。
【００６１】
表示部１７は、ストレージ２５に格納された画像や映像、放送・配信された映像、各種操作をするためのＵＩやＷｅｂブラウザ等を表示する。表示する画像、映像はアプリケーションプログラムで生成された画像でもよく、チューナ・復調部２２を介して受信したコンテンツの画像、映像でもよく、通信Ｉ／Ｆ１３を介して外部ネットワーク１１上のサーバから受信した画像、映像でもよく、通信Ｉ／Ｆ１３を介してテレビ受信機１から受信した画像、映像でもよく、移動体通信Ｉ／Ｆ３１を介して通信ネットワーク上のサーバから配信された画像、映像でもよい。また、表示部１７は、例えば下記のタッチパネル等と一体として構成されてもよい。
【００６２】
入力手段１５は、ユーザーからの無線端末１２に対する操作を受け付け、入力操作に関する制御情報を入力する入力手段であり、例えば、物理的なボタンやタッチパネルなどを用いることができる。
【００６３】
本実施例では、タッチパネルを使用した例について述べる。タッチパネルを使用することにより、Ｗｅｂコンテンツ上を直接タッチすることにより、任意の位置を指でタッチした状態で移動する操作（ドラッグ操作）を行うことによりＷｅｂコンテンツの画面を自由に移動することができる。また、リンク先情報のＵＲＬ（Uniform Resource Locator）が指定されたアンカータグなどを指で１回叩く操作（タップ操作）を行うと、ブラウザ上で所望のＷｅｂコンテンツを閲覧することができる。
【００６４】
チューナ・復調部２２、信号分離部２１は、それぞれテレビ受信機１のチューナ・復調部２、信号分離部３、と同等の働きを持つ。
【００６５】
加速度センサ部３３は、携帯端末１５にかかる加速度を測定する。制御部１４は、例えば加速度センサ部３３により重力加速度を測定することによって、携帯端末１５のどの部分が上方であるのかを知ることができ、表示部１７に表示させる画面の上方を加速度センサ部３３が測定した上方と合わせるように表示させることによって、ユーザによる携帯端末１５の持ち方に合わせた画面を表示させることができる。
【００６６】
地磁気センサ部３４は、複数の磁気センサを利用するなどして地磁気を測定する。
【００６７】
ＧＰＳ受信部３５は、ＧＰＳ（Ｇｒｏｂａｌ  Ｐｏｓｉｔｉｏｎｉｎｇ  Ｓｙｓｔｅｍ）を利用して複数の衛星から送信される信号を受信する。制御部１４は、ＧＰＳ受信部３５が受信した信号を基に、携帯端末１５の位置情報を計算することができる。
【００６８】
ジャイロセンサ部３６は、携帯端末１５をユーザが動かした場合などに発生する携帯端末１５の角速度を測定する。
【００６９】
［ソフトウェア構成］
図２（ａ）は、図１（ｂ）における、テレビ受信機１の構成のうちストレージ２３とメモリ２０を示している。図２（ａ）は、ストレージ２３にブラウザプログラム２００１を格納しており、制御部５がブラウザプログラム２００１をメモリ２０にブラウザエンジン２１０１として展開した状態を示している。ブラウザプログラム２００１は、製品の出荷時点でストレージ２３に格納しておいてもよく、通信Ｉ／Ｆ９を介してダウンロードしてもよい。
【００７０】
ブラウザエンジン２１０１は、図２のようにＨＴＭＬパーサー２１０２、データベース生成部２１０３、レンダリング部２１０４、画像処理部２１０５の各機能ブロックから構成される。
【００７１】
ＨＴＭＬパーサー２１０２は、ネットワーク制御部、制御部５を介して取得したＨＴＭＬデータの論理的な構造を解析する。また、取得したＨＴＭＬデータを解釈し、テレビ受信機１で使用する内部データへ変換することができる。
【００７２】
データベース生成部２１０３は、そのＨＴＭＬデータ構造に関するデータベースを生成する。
【００７３】
レンダリング部２１０４は、データベースを元に、各タグで決められた表現形式の情報を含むレイアウト構造を生成し、このレイアウト構造を基に、大きさ、位置、画像を取り込んだデータの通りにブラウザ表示画面を生成する。また、レンダリング部２１０４は、無線端末１２から送信される位置情報に基づき、表示部８に表示する映像等のサイズ、位置を制御する。
【００７４】
画像処理部２１０５は、ＨＴＭＬデータに画像タグで指定された画像ファイルの配置及び画像ファイル名などの画像ファイル情報に基づいて取得した画像ファイルをビットマップ形式等の画像データに変換する。
【００７５】
図２（ｂ）は、図１（ｃ）における、無線端末１２の構成のうちストレージ２５とメモリ３２を示している。図２（ｂ）は、ストレージ２５にブラウザプログラム３００１を格納しており、制御部１４がブラウザエンジン３１０１をメモリ３２にブラウザエンジン３１０１として展開した状態を示している。ブラウザエンジン３１０１は、製品の出荷時点でストレージ２５に格納しておいてもよく、通信Ｉ／Ｆ１３または移動体通信Ｉ／Ｆ３１を介してダウンロードしてもよい。
【００７６】
ブラウザエンジン３１０１は、テレビ受信機１のブラウザエンジン２１０１と同様に、ＨＴＭＬパーサー３１０２、データベース生成部３１０３、レンダリング部３１０４、画像処理部３１０５の各機能ブロックから構成される。ＨＴＭＬパーサー２１０２、データベース生成部３１０３、画像処理部３１０５の説明は、ブラウザエンジン２１０１と同様のため、詳細の説明は省略する。
【００７７】
レンダリング部３１０４は、データベースを元に、各タグで決められた表現形式の情報を含むレイアウト構造を生成し、このレイアウト構造を基に、大きさ、位置、画像を取り込んだデータの通りにブラウザ表示画面を生成する。また、レンダリング部３１０４は、表示部１７が表示している画面の位置を取得して位置情報を作成し、テレビ受信機１のレンダリング部２１０４に送信する。
【００７８】
［データ形式］
次に、図３を用いて本実施形態のネットワーク端末システムに関連するデータ形式について説明する。
【００７９】
図３は、無線端末１２のレンダリング部３１０４から、テレビ受信機１のレンダリング部２１０４に渡す位置情報のデータ形式の一例を示す図である。
また、図４は、無線端末１２の表示領域１０４とＷｅｂコンテンツ１０３との位置関係を示す図である。
位置情報は、図３に示すように、座標１０１、１０２の形式で構成される。座標１０１、１０２は、図４に示すように、Ｗｅｂコンテンツの左上を基準座標（０，０）としたときの、無線端末１２の表示領域１０４のそれぞれ左上、右下の座標を示す。
【００８０】
次に、図１から図７を用い、入力手段１５がユーザーからの操作を受け、無線端末１２がブラウザを起動し、Ｗｅｂコンテンツをテレビ受信機１に表示する場合の例について説明する。
【００８１】
［動作シーケンス］
図５は、第一の実施形態に係る動作シーケンスの一例を示す図である。図６は、無線端末１２のＷｅｂコンテンツ表示画面の一例を示す図である。また、図７は、テレビ受信機１に表示されるＷｅｂコンテンツ表示画面の一例を示す図である。
【００８２】
本実施例では、外部ネットワーク１１からＷｅｂコンテンツ等の情報を入手する例について述べるが、通信Ｉ／Ｆ１３、基地局１８を通して通信ネットワークから情報を入手することもできる。
【００８３】
制御部１４は、入力手段１５によりブラウザ起動の指令を受けると、ブラウザエンジン３１０１を起動する（Ｓ２０１）。ブラウザエンジン３１０１は、あらかじめホームページとして設定されたリソースのＵＲＬにアクセスを行う。
【００８４】
次に、ブラウザエンジン３１０１は、ＨＴＴＰに準拠したＷｅｂコンテンツ等のリソースを要求するリクエストメッセージを制御部１４、通信Ｉ／Ｆ１３、無線ルーター１０を経由して、外部ネットワーク１１からネットワーク上のＵＲＬにより特定されるサーバーに送信する。
【００８５】
ＵＲＬにより特定されるサーバーは、受け取ったリクエストメッセージに応じたレスポンスメッセージを作成して返信する。返信されたレスポンスメッセージは、外部ネットワーク１１を経由してブラウザエンジン３１０１に入力される。レスポンスメッセージにはＨＴＭＬ文書が埋め込まれており、ブラウザエンジン３１０１のＨＴＭＬパーサー３１０２、データベース生成部３１０３、レンダリング部３１０４、画像処理部３１０５によりブラウザ表示画面を生成し、表示部１７に表示する（Ｓ２０２）。
【００８６】
次に、入力手段１５がユーザーからの操作を受け、テレビ受信機１にＷｅｂコンテンツを表示する操作を行う場合について説明する。
【００８７】
図６において、無線端末１２の表示部１７には、表示しているＷｅｂコンテンツと同じコンテンツをテレビ受信機１の表示部６に表示するための、「ＴＶ表示」ボタン１０５が表示されており、ユーザは「ＴＶ表示」ボタン１０５を指でタップ操作を行う（Ｓ２０３）。
【００８８】
「ＴＶ表示」ボタン１０５のタップ操作を受け付けた入力手段１５は、ブラウザエンジン３１０１から現在表示部１７に表示しているＷｅｂコンテンツのＵＲＬを取得し、レンダリング部３１０４から図３に示す位置情報を取得し（Ｓ２０４）、通信Ｉ／Ｆ１３、無線ルーター１０、通信Ｉ／Ｆ９、制御部５を経由してブラウザエンジン２１０１に渡す（Ｓ２０５）。
【００８９】
ブラウザエンジン２１０１は、上記したＨＴＴＰに準拠したＷｅｂコンテンツ等のリソースを要求するリクエストメッセージを制御部５、通信Ｉ／Ｆ９、無線ルーター１０を経由して、外部ネットワーク１１からネットワーク上のＵＲＬにより特定されるサーバーに送信する。
指定ＵＲＬに対応するサーバーは、受け取ったリクエストメッセージに応じたレスポンスメッセージを作成して返信する。返信されたレスポンスメッセージは、外部ネットワーク１１を経由してブラウザエンジン２１０１に入力される。レスポンスメッセージには、ＨＴＭＬ文書が埋め込まれており、ブラウザエンジン２１０１のＨＴＭＬパーサー２１０２、データベース生成部２１０３、レンダリング部２１０４、画像処理部２１０５によりブラウザ表示画面を生成する。
【００９０】
次に、テレビ受信機１の表示部８の表示領域１０６が、無線端末１２の表示部１７の表示領域１０４より大きい場合は（Ｓ２０６：ＹＥＳ）、無線端末１２から受信した位置情報を基に、少なくとも無線端末１２の表示領域１０４に相当する表示領域がテレビ受信機１の表示部９に表示されるようにレンダリング部２１０４が位置調整を行い（Ｓ２０７）、表示部１７に図７に示すようにＷｅｂコンテンツが表示される（Ｓ２０８）。表示部１７の表示領域情報は、上記位置情報からも算出できるが、位置情報に含めた独立したデータ形式としても良い。
【００９１】
図７（ａ）は、Ｗｅｂコンテンツ領域の左上を基準にしたときのＷｅｂコンテンツ配置例である。この場合は、無線端末１２の表示領域によってはすべて表示されない場合がある。図７（ｂ）は、本実施例によるＷｅｂコンテンツ配置例である。この場合は、無線端末１２の表示領域がすべて表示されるため、無線端末１２とテレビ受信機１とのＷｅｂ画面の対応が付く利点がある。
【００９２】
本実施例の変形例としては、無線端末無線端末１２から受信した位置情報を基に、テレビ受信機１の表示部８に、無線端末１２の表示領域１０４に相当する表示領域を枠線などで表示することもできる。また、別の変形例としては、テレビ受信機１のブラウザの起動の遅れを避けるために、無線端末１２でＷｅｂコンテンツを起動した場合は、これに同期してバックグラウンドでテレビ受信機１のブラウザを立ち上げておくこともできる。
【００９３】
このようにして、少なくとも無線端末１２の表示部１７に表示されたＷｅｂコンテンツの表示領域を含むＷｅｂコンテンツが、テレビ受信機１の表示部８にも表示することができる。また、無線端末１２のタッチパネルで、指によるドラッグ操作等により表示領域を変更しても、所定時間毎もしくは所定のタイミングで位置情報を送信することで、少なくとも無線端末１２の表示領域１０４がテレビ受信機１の表示領域１０６に表示されるようにできる。この場合、無線端末１２の表示領域１０４がテレビ受信機１の表示領域１０６から外れるタイミングで、位置情報を更新しても良い。
【００９４】
このように、従来は、テレビ放送視聴中に、携帯などの無線端末で閲覧している内容をテレビ受信機でも表示しようとした場合、ブラウザ画面を立ち上げて、閲覧しているホームページ等のＵＲＬを調べて、同じＵＲＬをテレビ受信機に設定する必要があり、また、無線端末とテレビ受信機の表示画面は、表示能力や表示特性が異なるために、表示領域や表示位置が異なり同じように扱うことが困難であったが、本実施例では、簡単に無線端末に表示されているＷｅｂコンテンツを画面が欠けることなくテレビ受信機に表示することができる。
【実施例２】
【００９５】
以下、本発明に係る第二の実施形態を、図１、図２、図８、図９、図１０および図１１を用いて説明する。
なお、本実施形態では、第一の実施形態と比較し、異なるところを強調して説明する。
【００９６】
［システム構成等］
本実施形態でのネットワーク端末システムは、第一の実施形態における図１と同様に、テレビ受信機１、無線端末１２、無線ルーター１０、外部ネットワーク１１から構成される。ここで、テレビ受信機１、無線端末１２の各部の構成については、第一の実施形態と同じため説明を省略する。
【００９７】
［動作シーケンス］
図８は、第二の実施形態に係る動作シーケンスの一例を示す図である。図９は、本実施形態での無線端末１２に表示されるＷｅｂコンテンツ画面表示の一例を示す図である。また、図１０は、本実施形態での無線端末１２に表示されるＷｅｂコンテンツ画面をテレビ受信機１に表示したときの一例を示す図である。
【００９８】
制御部１４は、入力手段１５によりブラウザ起動の指令を受けると、ブラウザエンジン３１０１を起動し（Ｓ２０１）、ブラウザエンジン３１０１は、実施形態１と同様にブラウザ表示画面を生成し、表示部１７に図９に示すようなＷｅｂコンテンツ画面を表示する（Ｓ２０２）。ここで、ブラウザエンジン３１０１は、無線端末１２に表示されているＷｅｂコンテンツと同じコンテンツをテレビ受信機１に表示させるための「ＴＶ表示」ボタン１０５をＷｅｂコンテンツ画面に表示させる。
【００９９】
次に、図９において入力手段１５が「ＴＶ表示」ボタン１０５のタップ操作を受け付けた場合（Ｓ２０３）、実施形態１と同様にしてテレビ受信機１の表示部８に図１０に示すようなＷｅｂコンテンツ画面を表示する（Ｓ２０４〜Ｓ２０６）。
【０１００】
ここで、図９のアンカーテキスト１０７ａ、１０７ｂは、リンク先情報ＵＲＬが付加されたアンカータグ＜ａ＞に囲われてリンクが設定されたテキストであり、入力手段１５によりアンカーテキスト１０７ａ、１０７ｂが選択されることにより、このリンク先情報ＵＲＬにより特定されるリンク先に遷移できる。アンカーテキスト１０７ａ、１０７ｂは通常、文字色が青色にされたり、アンダーラインを付加されるなどして選択可能であることが強調される。アンカーオブジェクト１０８ａ、１０８ｂも同様に、リンク先情報ＵＲＬが付加されたアンカータグ＜ａ＞に囲われてリンクが設定されたオブジェクトであり、入力手段１５によりアンカーテキスト１０７ａ、１０７ｂが選択されることにより、このリンク先情報ＵＲＬにより特定されるリンク先に遷移できる。
【０１０１】
アンカーテキスト１０７ａがタップ操作されると（Ｓ３０１）、ブラウザエンジン３１０１はアンカーテキスト１０７ａのリンク先情報ＵＲＬを取得し（Ｓ３０２）、通信Ｉ／Ｆ１３、無線ルーター１０、通信Ｉ／Ｆ９、制御部５を経由してブラウザエンジン２１０１に渡す（Ｓ３０３）。
【０１０２】
ブラウザエンジン２１０１は、ＨＴＴＰに準拠したＷｅｂコンテンツ等のリソースを要求するリクエストメッセージを通信Ｉ／Ｆ９、無線ルーター１０を経由して、外部ネットワーク１１からネットワーク上のＵＲＬにより特定されるサーバーに送信する。
指定ＵＲＬに対応するサーバーは、受け取ったリクエストメッセージに応じたレスポンスメッセージを作成して返信する。返信されたレスポンスメッセージは、外部ネットワーク１１を経由してブラウザエンジン２１０１に入力される。レスポンスメッセージには、ＨＴＭＬ文書が埋め込まれており、ブラウザエンジン２１０１のＨＴＭＬパーサー２１０２、データベース生成部２１０３、レンダリング部２１０４、画像処理部２１０５によりブラウザ表示画面を生成し、表示部９にリンク先のＷｅｂコンテンツを表示する（Ｓ３０４）。
【０１０３】
本実施例では、アンカーテキスト１０７ａを用いて説明したが、アンカーテキスト１０７ｂやアンカーオブジェクト１０８ａまたは１０８ｂ等のリンク先情報でも同様である。
【０１０４】
また、図１１は、変形例としてのテレビ受信機１のＷｅｂコンテンツ画面である。図９の無線端末１２に表示されているＷｅｂコンテンツのアンカーテキスト１０８ａまたは１０８ｂを指でタップ操作すると、無線端末１２のＷｅｂコンテンツの表示を変えずに、テレビ受信機１側にはリンク先の画面遷移専用画面として、Ｗｅｂコンテンツ画面１０９のように表示することもできる。
【０１０５】
このように、簡単に無線端末に表示されているＷｅｂコンテンツのリンクタグから関連情報の画面をテレビ受信機に表示することができる。また、Ｗｅｂコンテンツによっては、リンク先の階層が深く、他の画面に遷移してからリンク元の画面に戻りたい場合に面倒なケースがあるが、テレビ受信機にリンク先の画面遷移画面を表示することにより、リンク元とリンク先の画面を同時に表示することができる。
【実施例３】
【０１０６】
以下、本発明に係る第三の実施形態を、図１、図２、図９、図１０および図１２を用いて説明する。
なお、本実施形態では、第二の実施形態と比較し、異なるところを強調して説明する。
【０１０７】
［システム構成等］
本実施形態でのネットワーク端末システムは、第一の実施形態における図１と同様に、テレビ受信機１、無線端末１２、無線ルーター１０、外部ネットワーク１１から構成される。ここで、テレビ受信機１、無線端末１２の各部の構成については、第一の実施形態と同じため説明を省略する。
【０１０８】
［動作シーケンス］
図１２は、第三の実施形態に係る動作シーケンスの一例を示す図である。
【０１０９】
本実施形態においては、第二の実施形態に対して、リンク先情報の代わりにアンカーテキストのテキスト文字列データを使用する。
【０１１０】
制御部１４は、入力手段１５によりブラウザ起動の指令を受けると、ブラウザエンジン３１０１を起動し（Ｓ２０１）、ブラウザエンジン３１０１は、実施形態１と同様にブラウザ表示画面を生成し、表示部１７に図９に示すようなＷｅｂコンテンツ画面を表示する（Ｓ２０２）。ここで、ブラウザエンジン３１０１は、無線端末１２に表示されているＷｅｂコンテンツと同じコンテンツをテレビ受信機１に表示させるための「ＴＶ表示」ボタン１０５をＷｅｂコンテンツ画面に表示させる。
【０１１１】
次に、図９において入力手段１５が「ＴＶ表示」ボタン１０５のタップ操作を受け付けた場合（Ｓ２０３）、実施形態２と同様にしてテレビ受信機１の表示部８に図１０に示すようなＷｅｂコンテンツ画面を表示する（Ｓ２０４〜Ｓ２０６）。
【０１１２】
アンカーテキスト１０７ａが指でタップ操作されると（Ｓ４０１）、ブラウザエンジン３１０１はアンカーテキスト１０７ａのテキスト情報を取得し、通信Ｉ／Ｆ１３、無線ルーター１０、通信Ｉ／Ｆ９、制御部５を経由してブラウザエンジン２１０１に渡す（Ｓ４０２）。
【０１１３】
ブラウザエンジン２１０１は、データベース生成部２１０３で入力されたテキスト情報と一致するアンカーテキストを探しリンク先情報を取得する（Ｓ４０３：ＹＥＳ）。また、同時にレンダリング部２１０４は、このアンカーテキストを他のアンカーテキストと区別するためにアンカーテキストが記載されたアンカータグの色などを一時的に他の色などに変更することもできる。
【０１１４】
次に、リンク先情報により、第二の実施形態と同様に外部ネットワーク１１を経由してＨＴＭＬ文書を入手し、ブラウザエンジン２１０１のＨＴＭＬパーサー２１０２、データベース生成部２１０３、レンダリング部２１０４、画像処理部２１０５によりブラウザ表示画面を生成し、表示部９にリンク先のＷｅｂコンテンツを表示する（Ｓ４０４）。
【０１１５】
このように、本実施例では、無線端末１２でアンカーテキストをタップ操作すると、その操作はテレビ受信機１のＷｅｂコンテンツのアンカーテキストを選択したように表現できる。
【０１１６】
一般にテレビ受信機は、メニューや番組表操作のために十字タイプのカーソル操作ボタンを使用しており、タッチパネルなどのポインターで表示領域を自由に選択できるようなポインター方式ではなく、アンカーテキストのみを選択するようなアンカーカーソル方式を採用しているケースが多いが、このような場合でも、無線端末のアンカーテキストをタッチパネルでタップ操作することにより、ポインター方式による選択が可能となる。
【０１１７】
また、ユーザーエージェント機能により、端末の機種やブラウザの種類を判別し、無線端末の表示能力に最適なＷｅｂコンテンツを提供できるようになってきている。このような場合は、無線端末側はフルブラウザのコンテンツではなく携帯用ブラウザに合わせたコンテンツが提供されるため、テレビ受信機と無線端末でブラウザの見え方やリンク先のＵＲＬが異なる場合がある。本実施例では、アンカーテキストと一致するアンカータグのリンク先情報にアクセスできるため、見え方が異なる場合や、リンク先のＵＲＬが異なるＷｅｂコンテンツでも無線端末に連携して操作することができる。
【実施例４】
【０１１８】
以下、本発明に係る第四の実施形態を、図１、図１３を用いて説明する。
なお、本実施形態では、第二の実施形態と比較し、異なるところを強調して説明する。
【０１１９】
［システム構成等］
本実施形態でのネットワーク端末システムは、第一の実施形態における図１と同様に、テレビ受信機１、無線端末１２、無線ルーター１０、外部ネットワーク１１から構成される。ここで、テレビ受信機１、無線端末１２の各部の構成については、第一の実施形態と同じため説明を省略する。
【０１２０】
本実施形態において、メモリ２０は、Ｗｅｂコンテンツの表示履歴を保存するための表示履歴保存する機能を有する。また、ブラウザエンジン２１０１は、メモリ２０に保存された表示履歴の中からリンク先情報を呼び出す表示履歴読み出す機能も有する。
【０１２１】
多くのＷｅｂブラウザは、利用者が過去に閲覧した情報を保存し再利用する技術として、「お気に入り」機能と「履歴」機能を有するが、本実施形態での実施例については、ブラウザの「履歴」機能の一つとしてのツリー階層の「戻る」、「進む」を例に説明する。
【０１２２】
［画面表示例］
図１３は、本実施形態での無線端末１２に表示されるＷｅｂコンテンツ画面表示の一例を示す図である。
【０１２３】
制御部１４は、入力手段１５によりブラウザ起動の指令を受けると、ブラウザエンジン３１０１を起動し、ブラウザエンジン３１０１は、実施形態２と同様にブラウザ表示画面を生成し、表示部１７に図１３に示すようなＷｅｂコンテンツ画面を表示する。ここで、ブラウザエンジン３１０１は、無線端末１２に表示されているＷｅｂコンテンツと同じコンテンツをテレビ受信機１に表示させるための「ＴＶ表示」ボタン１０５をＷｅｂコンテンツ画面に表示させる。
【０１２４】
次に、図１３において入力手段１５が「ＴＶ表示」ボタン１０５のタップ操作を受け付けた場合（Ｓ２０３）、実施形態２と同様にしてテレビ受信機１の表示部８にＷｅｂコンテンツ画面を表示する
ここで、アンカーテキスト１０７ａ、１０７ｂまたはアンカーオブジェクト１０８ａ、１０８ｂは、実施形態２と同様にリンク先情報ＵＲＬが付加されたタグまたはオブジェクトであり、このリンク先情報ＵＲＬによりリンク先に遷移できる。
「戻る」ボタン１１０は、前に立ち寄った又は前に見ていたＷｅｂページを１つのレベル分だけ上に移動するためのボタンである。また、「進む」ボタン１１１は、前に立ち寄った又は前に見ていたＷｅｂページを１つのレベル分だけ下に移動するためのボタンである。前に立ち寄った又は見ていたＷｅｂページは、それぞれのページのＵＲＬを表示履歴としてメモリ２０に記憶されてツリー状に階層化されており、「戻る」ボタン１１０または「進む」ボタン１１１により、上下階層に移動できるようになっている。
【０１２５】
次に、あるＷｅｂページを表示している状態から、１つ下の階層に戻るときの動作について説明する。
【０１２６】
無線端末１２のＷｅｂコンテンツ画面の「戻る」ボタン１１０がタップ操作された場合、ブラウザエンジン３１０１は、メモリ２０に保存された表示履歴データから１つ下の階層のリンク先情報ＵＲＬを読み出し、表示部１７にリンク先のＷｅｂコンテンツ画面を表示する。さらに、ブラウザエンジン３１０１は、１つ下の階層のリンク先情報ＵＲＬを通信Ｉ／Ｆ１３、無線ルーター１０、通信Ｉ／Ｆ９、制御部５を経由してブラウザエンジン２１０１に渡し、実施形態２と同様にテレビ受信機１の表示部８にリンク先のＷｅｂコンテンツ画面を表示する。
【０１２７】
本実施例では、「履歴」機能として、ブラウザのツリー階層の「戻る」、「進む」機能を例に説明したが、「履歴」機能の他の実施例としては、閲覧したページのＵＲＬや閲覧日などの情報を自動的に保存し、この情報をある一定の基準によってリスト表示するものがある。この場合は、リスト表示されたリンク先情報が表示履歴に相当する。
また、同様の機能として、閲覧したページに対して、ユーザー自身が再閲覧の有無を判断し、そのページ情報をお気に入り情報として保存し、その情報を階層的に表示する「お気に入り」機能がある。この場合は、階層的に表示されたリンク先情報が表示履歴に相当する。
【０１２８】
このように、本実施例では、簡単に無線端末に表示されているＷｅｂコンテンツの表示履歴または保存されたお好みのＷｅｂページまたはコンテンツをテレビ受信機に表示することができる。
【実施例５】
【０１２９】
以下、本発明に係る第五の実施形態を、図１、図２、図１４および図１５を用いて説明する。
なお、本実施形態では、第二の実施形態と比較し、異なるところを強調して説明する。
【０１３０】
［システム構成等］
本実施形態でのネットワーク端末システムは、第一の実施形態における図１と同様に、テレビ受信機１、無線端末１２、無線ルーター１０、外部ネットワーク１１から構成される。ここで、テレビ受信機１、無線端末１２の各部の構成については、第一の実施形態と同じため説明を省略する。
【０１３１】
［動作シーケンス］
図１４は、第五の実施形態に係る動作シーケンスの一例を示す図である。図１５は、無線端末１２のＷｅｂコンテンツ表示画面の一実施例を示す図である。
【０１３２】
本実施形態において、第二の実施形態に対して、制御部１４は、テレビ受信機１を操作するための操作コマンド等の操作情報を生成する機能を有する。
【０１３３】
制御部１４は、入力手段１５によりブラウザ起動の指令を受けると、ブラウザエンジン３１０１を起動し（Ｓ２０１）、ブラウザエンジン３１０１は、実施形態１と同様にブラウザ表示画面を生成し、表示部１７に図１５に示すようなＷｅｂコンテンツ画面を表示する（Ｓ２０２）。ここで、ブラウザエンジン３１０１は、無線端末１２に表示されているＷｅｂコンテンツと同じコンテンツをテレビ受信機１に表示させるための「ＴＶ表示」ボタン１０５をＷｅｂコンテンツ画面に表示させる。
【０１３４】
次に、図１５において、において入力手段１５が「ＴＶ表示」ボタン１０５のタップ操作を受け付けた場合（Ｓ２０３）、実施形態２と同様にしてテレビ受信機１の表示部８に図１０に示すようなＷｅｂコンテンツ画面を表示する（Ｓ２０４〜Ｓ２０６）。
【０１３５】
アンカーテキスト１０７ａが指でタップ操作されると（Ｓ３０１）、実施形態２と同様に、ブラウザエンジン３１０１はアンカーテキスト１０７ａのリンク先情報のＵＲＬを取得し（Ｓ３０２）、通信Ｉ／Ｆ１３、無線ルーター１０、通信Ｉ／Ｆ９、制御部５を経由してブラウザエンジン２１０１に渡す（Ｓ３０３）。
【０１３６】
ブラウザエンジン２１０１は、実施形態２と同様に、ＨＴＴＰに準拠したＷｅｂコンテンツ等のリソースを要求するリクエストメッセージを制御部５、通信Ｉ／Ｆ９、無線ルーター１０を経由して、外部ネットワーク１１からネットワーク上のＵＲＬにより特定されるサーバーに送信する。
【０１３７】
指定ＵＲＬに対応するサーバーは、受け取ったリクエストメッセージに応じたレスポンスメッセージを作成して返信する。返信されたレスポンスメッセージは、外部ネットワーク１１を経由してブラウザエンジン２１０１に入力される。レスポンスメッセージには、ＨＴＭＬ文書が埋め込まれており、ブラウザエンジン２１０１のＨＴＭＬパーサー２１０２、データベース生成部２１０３、レンダリング部２１０４、画像処理部２１０５によりブラウザ表示画面を生成し、表示部９にリンク先のＷｅｂコンテンツを表示する（Ｓ３０４）。
【０１３８】
リンク先に遷移した画面では、無線端末１２の入力手段１５による操作で、テレビ受信機１のＷｅｂコンテンツ表示画面を操作するために、上述したように、制御部１４は、テレビ受信機１を操作するための操作コマンド等の操作情報を生成する機能を有する。
【０１３９】
次に、図１５において、テレビ受信機１のＷｅｂコンテンツ表示画面を操作するために、無線端末１２の表示部１７に表示されたＷｅｂコンテンツ画面の「ＴＶ操作」ボタン１１２が指でタップ操作され（Ｓ５０１）、その後に無線端末１２の表示部１７でドラッグ、タップなどの操作が行われた場合（Ｓ５０２）、この操作はテレビ受信機１の表示部８の操作コマンド、例えばドラッグによる画面スクロールは「スクロール」または「ポインター」コマンド、タップ操作は「決定」コマンド等の操作コマンドに置き換えられ、この操作コマンドは、通信Ｉ／Ｆ１３、無線ルーター１０、通信Ｉ／Ｆ９を経由して制御部５に渡され（Ｓ５０３）、ブラウザエンジン２１０１を制御しテレビ受信機１のＷｅｂコンテンツを操作する（Ｓ５０４）。
【０１４０】
ここで、無線端末１２の表示部１７でテレビ受信機１のＷｅｂコンテンツ画面を操作するときは、誤操作を防止するなどの目的で無線端末１２には「ＴＶ操作」ボタン１１２などの操作ボタンのみ表示を行い、Ｗｅｂコンテンツを表示しないようにしても良い。
【０１４１】
また、本実施例では、無線端末１２またはテレビ受信機１に表示されたＷｅｂコンテンツの操作の選択手段として、無線端末１２の表示部１７の画面上のボタンを選択する方法について説明したが、変形例としてテレビ受信機１がリンク先情報ＵＲＬによりリンク先に遷移した場合に、自動的にテレビ受信機１を操作制御できるようにしても良い。
【０１４２】
また、リンク先情報としては、オブジェクト、画像ファイル、動画ファイルなどのコンテンツのＵＲＬや、ストレージ２３もしくはストレージ２５に保存されたコンテンツのアドレス情報を含む。
【０１４３】
このように、リンク先情報ＵＲＬによりリンク先に画面が遷移した場合に、テレビ画面のＷｅｂコンテンツを無線端末側で操作できるようになる。
【０１４４】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１４５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１４６】
また、制御線や情報線は説明上必要と考えられるものを示しており、製品上必ずしも全ての制御線や情報線を示しているとは限らない。実際には殆ど全ての構成が相互に接続されていると考えてもよい。
【０１４７】
また、上記実施例では、表示部８を備えたＴＶ１、ＴＶ２等を用いて実施例の説明を行ったが、表示部を外部に備えたレコーダ等によっても同様にして本発明を実施することができる。
【符号の説明】
【０１４８】
１  テレビ受信機１
２  チューナ・復調部
３  信号分離部
４  入力手段
５  制御部
６  選局制御部
７  重畳部
８  表示部
９  通信Ｉ／Ｆ
１０  無線ルーター
１１  外部ネットワーク
１２  無線端末
１３  通信Ｉ／Ｆ
１４  制御部
１５  入力手段
１７  表示部
１８  基地局
１９  テレビ受信機２
２０  メモリ
２１  信号分離部
２２  チューナ・復調部
２３  ストレージ
２５  ストレージ
３１  移動体通信Ｉ／Ｆ
３２  メモリ
３３  加速度センサ部
３４  地磁気センサ部
３５  ＧＰＳ受信部
３６  ジャイロセンサ部
３９  音声復号部
４０  映像復号部
４１  スピーカー
４２  音声出力部
４３  映像出力部
４４  デジタルＩ／Ｆ
９９９  放送局
【図１（ａ）】
2013077116.tif 000003
【図１（ｂ）】
2013077116.tif 000004
【図１（ｃ）】
2013077116.tif 000005
【図２（ａ）】
2013077116.tif 000006
【図２（ｂ）】
2013077116.tif 000007
【図３】
2013077116.tif 000008
【図４】
2013077116.tif 000009
【図５】
2013077116.tif 000010
【図６】
2013077116.tif 000011
【図７】
2013077116.tif 000012
【図８】
2013077116.tif 000013
【図９】
2013077116.tif 000014
【図１０】
2013077116.tif 000015
【図１１】
2013077116.tif 000016
【図１２】
2013077116.tif 000017
【図１３】
2013077116.tif 000018
【図１４】
2013077116.tif 000019
【図１５】
2013077116.tif 000020